(57)【特許請求の範囲】
【請求項１】
ＴＤＤ（Time Division Duplex）方式を採用する基地局とケーブルを介して接続する第１のレピータ装置と、
前記第１のレピータ装置と光ファイバケーブルを介して接続する第２のレピータ装置と
を具備し、
前記第１のレピータ装置は、
前記基地局から前記ケーブルを介して供給されるダウンリンク信号を検波する検波部と、
前記検波した信号をデジタル信号に変換するアナログ−デジタル変換部と、
前記デジタル信号のレベルが予め設定した値を超える場合にパルス信号を生成し、前記パルス信号をタイミング信号とする信号処理部と、
前記タイミング信号に従い、前記ケーブルを介して供給されるダウンリンク信号を前記第２のレピータ装置へ出力するように接続を切り替える切替部と、
前記切替部から出力されるダウンリンク信号を光信号へ変換し、前記光信号を前記第２のレピータ装置へ出力する変換部と
を備え、
前記第２のレピータ装置は、前記第１のレピータ装置から前記光ファイバケーブルを介して供給される前記光信号を無線信号に変換して送信するレピータシステム。
【請求項２】
前記信号処理部は、ダウンリンク信号が出現する第１の期間と、アップリンク信号が出現する第２の期間とがパターン化されたシステムパターンに基づき、前記デジタル信号のレベルを検出するウィンドウを設定する請求項１記載のレピータシステム。
【請求項３】
前記検波部は、予め設定されるタイミングで設定レベル以上のダウンリンク信号が受信されたか否かに基づいて、前記ダウンリンク信号を受信したタイミングが予め設定されるタイミングと同期したか、若しくは、同期が外れたかを判断し、
前記信号処理部は、前記検波部により同期が外れたと判断された場合、前記基地局へのアップリンク信号の出力を停止し、かつ、前記無線信号の前記第２のレピータ装置からの送信を停止する請求項１又は２に記載のレピータシステム。
【請求項４】
前記信号処理部は、
前記タイミング信号が予め設定されるタイミングで生成されたか否かに基づいて、前記タイミング信号が予め設定したタイミングと同期したか、若しくは、同期が外れたかを判断し、
同期が外れたと判断した場合、前記基地局へのアップリンク信号の出力を停止し、かつ、前記無線信号の前記第２のレピータ装置からの送信を停止する請求項１乃至３のいずれかに記載のレピータシステム。
【請求項５】
前記第１のレピータ装置は、前記検波部によって検波された信号に対してローパスフィルタリングをし、かつ、前記検波された信号のピーク値を予め設定される期間だけホールドするローパスフィルタをさらに備える請求項１乃至４のいずれかに記載のレピータシステム。
【請求項６】
前記信号処理部は、前記デジタル信号のピーク値を予め設定される期間だけホールドし、前記ピーク値をホールドしたデジタル信号のレベルが予め設定した値を超える場合にパルス信号を生成する請求項１乃至４のいずれかに記載のレピータシステム。
【請求項７】
ＴＤＤ（Time Division Duplex）方式を採用する基地局からケーブルを介して供給されるダウンリンク信号を検波する検波部と、
前記検波した信号をデジタル信号に変換するアナログ−デジタル変換部と、
前記デジタル信号のレベルが予め設定した値を超える場合にパルス信号を生成し、前記パルス信号をタイミング信号とする信号処理部と、
前記タイミング信号に従い、前記ケーブルを介して供給されるダウンリンク信号を後段へ出力するように接続を切り替える切替部と、
前記切替部から出力されるダウンリンク信号を光信号へ変換すると共に、当該光信号を光ファイバケーブルを介して無線信号への変換に供する変換部と
を具備するレピータ装置。
【請求項８】
前記信号処理部は、ダウンリンク信号が出現する第１の期間と、アップリンク信号が出現する第２の期間とがパターン化されたシステムパターンに基づき、前記デジタル信号のレベルを検出するウィンドウを設定する請求項７記載のレピータ装置。
【請求項９】
前記検波部は、予め設定されるタイミングで設定レベル以上のダウンリンク信号が受信されたか否かに基づいて、前記ダウンリンク信号を受信したタイミングが予め設定されるタイミングと同期したか、若しくは、同期が外れたかを判断し、
前記信号処理部は、前記検波部により同期が外れたと判断された場合、前記基地局へのアップリンク信号の出力を停止し、かつ、前記ダウンリンク信号の後段への出力を停止する請求項７又は８に記載のレピータ装置。
【請求項１０】
前記信号処理部は、
前記タイミング信号が予め設定されるタイミングで生成されたか否かに基づいて、前記タイミング信号が予め設定したタイミングと同期したか、若しくは、同期が外れたかを判断し、
同期が外れたと判断した場合、前記基地局へのアップリンク信号の出力を停止し、かつ、前記ダウンリンク信号の後段への出力を停止する請求項７乃至９のいずれかに記載のレピータ装置。
【請求項１１】
前記検波部によって検波された信号に対してローパスフィルタリングをし、かつ、前記検波された信号のピーク値を予め設定される期間だけホールドするローパスフィルタをさらに具備する請求項７乃至１０のいずれかに記載のレピータ装置。
【請求項１２】
前記信号処理部は、前記デジタル信号のピーク値を予め設定される期間だけホールドし、前記ピーク値をホールドしたデジタル信号のレベルが予め設定した値を超える場合にパルス信号を生成する請求項７乃至１０のいずれかに記載のレピータ装置。
【請求項１３】
ＴＤＤ（Time Division Duplex）方式を採用する基地局からケーブルを介して供給されるダウンリンク信号を検波し、
前記検波した信号をデジタル信号に変換し、
前記デジタル信号のレベルが予め設定した値を超える場合にパルス信号を生成し、
前記パルス信号をタイミング信号として出力することで、光ファイバケーブルを介して光信号として後段へ出力されるダウンリンク信号を無線信号への変換に供するタイミング信号生成方法。
【請求項１４】
ダウンリンク信号が出現する第１の期間と、アップリンク信号が出現する第２の期間とがパターン化されたシステムパターンに基づき、前記デジタル信号のレベルを検出するウィンドウを設定する請求項１３記載のタイミング信号生成方法。
【請求項１５】
前記検波の際に、予め設定されるタイミングで設定レベル以上のダウンリンク信号が受信されたか否かに基づいて、前記ダウンリンク信号を受信したタイミングが予め設定されるタイミングと同期したか、若しくは、同期が外れたかを判断し、
前記同期が外れたと判断した場合、前記基地局へのアップリンク信号の出力を停止し、かつ、前記ダウンリンク信号の後段への出力を停止する請求項１３又は１４に記載のタイミング信号生成方法。
【請求項１６】
前記タイミング信号が予め設定されるタイミングで生成されたか否かに基づいて、前記タイミング信号が予め設定したタイミングと同期したか、若しくは、同期が外れたかを判断し、
同期が外れたと判断した場合、前記基地局へのアップリンク信号の出力を停止し、かつ、前記ダウンリンク信号の後段への出力を停止する請求項１３乃至１５のいずれかに記載のタイミング信号生成方法。
【請求項１７】
前記検波された信号に対してローパスフィルタリングし、
前記ローパスフィルタリングした信号のピーク値を予め設定される期間だけホールドした信号をデジタル信号へ変換する請求項１３乃至１６のいずれかに記載のタイミング信号生成方法。
【請求項１８】
前記デジタル信号のピーク値を予め設定される期間だけホールドし、
前記ピーク値をホールドしたデジタル信号のレベルが予め設定した値を超える場合にパルス信号を生成する請求項１３乃至１６のいずれかに記載のタイミング信号生成方法。
【発明の詳細な説明】
【技術分野】
【０００１】
本発明の実施形態は、基地局から送信されるＲＦ（Radio Frequency）信号を中継するレピータシステム、このシステムで用いられるレピータ装置及びタイミング信号生成方法に関する。
【背景技術】
【０００２】
現在日本でサービスされている、ＴＤＤ（Time Division Duplex）方式を利用した通信で用いられるレピータ装置は、基地局と無線により接続されるものが主流である。ＴＤＤ方式では、レピータ装置が出力する無線信号は、周辺エリアで利用されている基地局から送信される無線信号と同期している必要がある。出力する無線信号を基地局からの無線信号と同期させるため、レピータ装置は、基地局から送信される無線信号からタイミングを抽出する。そして、レピータ装置は、抽出したタイミングに基づき、受信した無線信号を再送信するタイミングを制御する。
【０００３】
ところで、レピータ装置が基地局から送信される無線信号を受信する場合、無線信号は、伝搬される空間において、干渉波及びフェージング・マルチパス等による複数の変動を受け得る。レピータ装置は、受信した無線信号からタイミングを正確に抽出するため、無線信号を復調する必要がある。そのため、レピータ装置は、装置内部に高価な復調ＩＣを実装しなければならない。
【先行技術文献】
【特許文献】
【０００４】
【特許文献１】特表２００８−５０８７８１号公報
【発明の概要】
【発明が解決しようとする課題】
【０００５】
以上のように、ＴＤＤ方式を利用した通信で用いられるレピータ装置は、基地局から送信される無線信号と、自装置から送信する無線信号とを同期させるため、復調ＩＣを備える必要がある。
【０００６】
そこで、目的は、復調ＩＣを備えなくても、基地局から送信される無線信号と、自装置から送信する無線信号とを同期させることが可能なレピータシステム、このシステムで用いられるレピータ装置及びタイミング信号生成方法を提供することにある。
【課題を解決するための手段】
【０００７】
実施形態によれば、レピータシステムは、第１及び第２のレピータ装置を具備する。第１のレピータ装置は、ＴＤＤ（Time Division Duplex）方式を採用する基地局とケーブルを介して接続し、検波部、アナログ−デジタル変換部、信号処理部、切替部及び変換部を備える。検波部は、前記基地局から前記ケーブルを介して供給されるダウンリンク信号を検波する。アナログ−デジタル変換部は、前記検波した信号をデジタル信号に変換する。信号処理部は、前記デジタル信号のレベルが予め設定した値を超える場合にパルス信号を生成し、前記パルス信号をタイミング信号とする。切替部は、前記タイミング信号に従い、前記ケーブルを介して供給されるダウンリンク信号を出力するように接続を切り替える。変換部は、前記切替部から出力されるダウンリンク信号を光信号へ変換する。第２のレピータ装置は、前記第１のレピータ装置と光ファイバケーブルを介して接続し、前記第１のレピータ装置から前記光ファイバケーブルを介して供給される前記光信号を無線信号に変換して送信する。
【図面の簡単な説明】
【０００８】
【図１】本実施形態に係るレピータシステムの機能構成を示すブロック図である。
【図２】図１に示されるマスタユニットの機能構成を示すブロック図である。
【図３】図２に示される検波部が備える保護機能を示す図である
【図４】図２に示される信号処理部の機能構成を示すブロック図である。
【図５】図２に示されるマスタユニットがタイミング信号を生成する際の動作を示すフローチャートである。
【図６】図２に示されるマスタユニット内で生成される信号を示す図である。
【図７】図４に示される信号処理部のその他の機能構成を示すブロック図である。
【図８】図４に示される信号処理部のその他の機能構成を示すブロック図である。
【発明を実施するための形態】
【０００９】
以下、実施の形態について、図面を参照して説明する。
【００１０】
図１は、本実施形態に係るレピータシステムの機能構成の例を示すブロック図である。図１に示すレピータシステムは、第１のレピータ装置であるマスタユニット１０及び第２のレピータ装置であるリモートユニット２０を具備する。マスタユニット１０は、基地局３０と同軸ケーブルを介して接続する。また、マスタユニット１０は、リモートユニット２０と光ファイバを介して接続される。
【００１１】
基地局３０は、ＴＤＤ（Time Division Duplex）方式を利用して通信する。基地局３０は、ＲＦ（Radio Frequency）帯のダウンリンク信号を生成し、生成したダウンリンク信号を２つに分配する。基地局３０は、一方のダウンリンク信号を同軸ケーブルを介してマスタユニット１０へ出力する。また、基地局３０は、他方のダウンリンク信号を局内に設けられるアンテナから空間へ送信する。
【００１２】
図２は、図１に示されるマスタユニット１０の機能構成の例を示すブロック図である。図２に示すマスタユニット１０は、方向性結合器１１、切替部１２、検波部１３、ローパスフィルタ１４、アナログ−デジタル変換部１５、信号処理部１６、光電変換部１７及び指示入力部１８を備える。
【００１３】
方向性結合器１１は、同軸ケーブルを介してダウンリンク信号が基地局３０から供給されると、供給されるダウンリンク信号を切替部１２へ出力するとともに、ダウンリンク信号の一部を検波部１３へ出力する。
【００１４】
検波部１３は、ダウンリンク信号に対してエンベロープ検波を行う。検波部１３は、検波したエンベロープ信号をローパスフィルタ１４へ出力する。
【００１５】
また、検波部１３は、内部クロックを参照し、予め設定されるタイミングで、予め設定されるレベル以上のダウンリンク信号を検出するか否かを判断する。具体的には、検波部１３は、例えば、図３に示される前方保護機能及び後方保護機能により、ダウンリンク信号を検波する。
【００１６】
まず、検波部１３は、ハンティング状態を示す状態０において、ダウンリンク信号の受信を待ち受ける。検波部１３は、設定レベル以上のダウンリンク信号を受信すると、後方保護状態を示す状態１へ遷移する。
【００１７】
検波部１３は、状態１において、予め設定するクロック数がカウントされるまでの間に、設定レベル以上のダウンリンク信号を受信すると、同期状態を示す状態２へ遷移する。検波部１３は、状態２となると、同期信号を信号処理部１６へ出力する。一方、予め設定するクロック数がカウントされるまでの間に、設定レベル以上のダウンリンク信号が受信されない場合、検波部１３は、状態０へ戻る。
【００１８】
検波部１３は、状態２において、予め設定するクロック数がカウントされるまでの間に、設定レベル以上のダウンリンク信号を受信すると、状態２を維持する。一方、予め設定するクロック数がカウントされるまでの間に、設定レベル以上のダウンリンク信号が受信されない場合、検波部１３は、前方保護状態を示す状態３へ遷移する。
【００１９】
検波部１３は、状態３において、予め設定するクロック数がカウントされるまでの間に、設定レベル以上のダウンリンク信号を受信すると、状態２へ戻る。一方、予め設定するクロック数がカウントされるまでの間に、設定レベル以上のダウンリンク信号が受信されない場合、検波部１３は、前方保護状態を示す状態４へ遷移する。
【００２０】
検波部１３は、３回連続で、設定レベル以上のダウンリンク信号が受信されないと、前方保護状態を示す状態５へ遷移する。検波部１３は、状態５において、予め設定するクロック数がカウントされるまでの間に、設定レベル以上のダウンリンク信号を受信すると、状態４へ戻る。一方、予め設定するクロック数がカウントされるまでの間に、設定レベル以上のダウンリンク信号が受信されない場合、検波部１３は、同期解除信号を信号処理部１６へ出力する。
【００２１】
ローパスフィルタ１４は、検波部１３から供給されるエンベロープ信号をローパスフィルタリングする。ローパスフィルタ１４は、ローパスフィルタリングにより、所望の周波数以外をエンベロープ信号から除去する。ローパスフィルタ１４は、ローパスフィルタリング後の信号をアナログ−デジタル変換部１５へ出力する。
【００２２】
アナログ−デジタル変換部１５は、ローパスフィルタ１４から供給される信号をデジタル信号に変換する。アナログ−デジタル変換部１５は、デジタル信号を信号処理部１６へ出力する。
【００２３】
信号処理部１６は、例えば、ＦＰＧＡ（Field-Programmable Gate Array）を備える。ＦＰＧＡは、論理機能をプログラム可能なプログラマブルデバイスである。ＦＰＧＡには、図４に示されるパルス生成部１６１、タイミング調整部１６２、タイミング信号生成部１６３及び制御部１６４が実装されている。
【００２４】
パルス生成部１６１は、外部から供給されるシステムパターンを、指示入力部１８を介して受け取る。システムパターンは、アップリンク信号の出現する期間と、ダウンリンク信号の出現する期間とがパターン化されたものである。パルス生成部１６１は、システムパターンを参照し、ダウンリンク信号が出現する期間において、デジタル信号のレベルを検出するウィンドウを設定する。パルス生成部１６１は、設定したウィンドウ内においてデジタル信号のレベルが予め設定された値を超える場合、パルス信号を生成する。
【００２５】
タイミング調整部１６２は、パルス生成部１６１で生成されたパルス信号を出力するタイミングを調整する。タイミング調整部１６２は、例えば、アナログ−デジタル変換部１５においてデジタル変換にかかる時間及びマスタユニット１０からリモートユニット２０へダウンリンク信号を伝送させるためにかかる時間等に基づいてパルス信号を出力するタイミングを調整する。
【００２６】
タイミング信号生成部１６３は、タイミング調整部１６２でタイミングが調整されたパルス信号をタイミング信号として、切替部１２へ出力する。
【００２７】
制御部１６４は、電源投入時、リセット時及び同期解除信号が入力された場合、トレーニング状態とする。制御部１６４は、トレーニング状態とする際、切替部１２におけるアップリンク信号へ接続を切り替える動作を停止し、かつ、ダウンリンク信号の空中線への出力を停止する。ダウンリンク信号の空中線への出力の停止は、切替部１２におけるダウンリンク信号の光電変換部１７への出力の停止、光電変換部１７による光信号への変換の停止、又は、リモートユニット２０による無線信号の送信の停止等により実現される。なお、制御部１６４は、同期解除信号が入力された場合、タイミング異常を知らせる警報を外部へ出力するようにしても構わない。
【００２８】
制御部１６４は、同期信号が入力されると、トレーニング状態を解除し、定常動作を実行するように制御する。
【００２９】
図２に示される切替部１２は、方向性結合器１１を介して供給されるダウンリンク信号と、光電変換部１７から供給されるアップリンク信号とを受け取る。また、切替部１２は、信号処理部１６で生成されるタイミング信号を受け取る。切替部１２は、タイミング信号に従い、ダウンリンク信号を光電変換部１７へ出力し、若しくは、アップリンク信号を基地局３０へ出力するように経路を切り替える。すなわち、切替部１２は、タイミング信号が立ち上がると、ダウンリンク信号が光電変換部１７へ出力されるように、切替部１２内の経路を切り替える。また、切替部１２は、タイミング信号がゼロとなると、アップリンク信号が基地局３０へ出力されるように、切替部１２内の経路を切り替える。
【００３０】
光電変換部１７は、切替部１２から供給されるダウンリンク信号を光信号へ変換し、光信号を光ファイバを介してリモートユニット２０へ出力する。また、光電変換部１７は、リモートユニット２０から供給される光信号をアップリンク信号へ変換し、アップリンク信号を切替部１２へ出力する。
【００３１】
次に以上のように構成されるマスタユニット１０の動作を詳細に説明する。図５は、マスタユニット１０がタイミング信号を生成する際の動作の例を示すフローチャートである。また、図６は、マスタユニット１０内で生成される信号の例を示す概略図である。
【００３２】
まず、検波部１３は、同軸ケーブルを介して基地局３０から供給されるダウンリンク信号から、図６（ａ）に示されるエンベロープ信号を検出する（ステップＳ５１）。
【００３３】
ローパスフィルタ１４は、検波部１３で検出されたエンベロープ信号をフィルタリングすることで、図６（ｂ）で示されるように、エンベロープ信号から高周波成分を除去する（ステップＳ５２）。
【００３４】
アナログ−デジタル変換部１５は、フィルタリング後の信号をデジタル信号に変換し（ステップＳ５３）、変換したデジタル信号を信号処理部１６へ出力する。
【００３５】
信号処理部１６において、パルス生成部１６１は、デジタル信号のレベルに基づいてパルス信号を生成する（ステップＳ５４）。なお、生成されるパルス信号は、図６（ｃ）に示すように、アナログ−デジタル変換の際にかかる時間だけ遅延している。
【００３６】
タイミング調整部１６２は、デジタル変換による遅延時間及びマスタユニット１０からリモートユニット２０へダウンリンク信号を伝送させるのにかかる時間に基づいてパルス信号を出力するタイミングを調整する（ステップＳ５５）。タイミング信号生成部１６３は、図６（ｄ）に示される信号をタイミング信号として切替部１２へ出力する（ステップＳ５６）。
【００３７】
以上のように、本実施形態に係るマスタユニット１０は、同軸ケーブルを介し、安定したダウンリンク信号を基地局３０から直接受信する。そして、マスタユニット１０は、受け取ったダウンリンク信号に対してレベル検波することでタイミング信号を生成するようにしている。これにより、マスタユニット１０は、従来のようにダウンリンク信号を復調しなくても、タイミング信号を抽出することが可能となる。
【００３８】
したがって、本実施形態に係るレピータシステムによれば、復調ＩＣを備えなくても、基地局から無線によって送信されるダウンリンク信号と、リモートユニット２０から送信されるダウンリンク信号とを同期させることができる。また、マスタユニット１０を、簡素で安価な回路で提供することができる。
【００３９】
また、上記実施形態では、パルス生成部１６１は、外部から供給されるシステムパターンを参照し、ダウンリンク信号のレベルを検出するウィンドウを設定するようにしている。これにより、パルス生成部１６１は、パルス信号を正確に生成することが可能となる。
【００４０】
また、上記実施形態では、検波部１３は、前方保護機能を備える。つまり、検波部１３は、予め設定したタイミングで設定レベル以上のダウンリンク信号を連続して検出した場合、同期信号を信号処理部１６へ出力する。信号処理部１６は、同期信号を受信した場合に、トレーニング状態から定常動作へ移行するように切替部１２等を制御する。また、検波部１３は、後方保護機能を備える。つまり、検波部１３は、同期している状態において、予め設定したタイミングで設定レベル以上のダウンリンク信号が受信されない状態が連続して続く場合、同期解除信号を信号処理部１６へ出力する。信号処理部１６は、同期解除信号を受信した場合には、トレーニング状態となるように切替部１２等を制御する。信号処理部１６は、トレーニング状態とすることで、不要な電波の発射を防ぎ、かつ、基地局３０へのアップリンク信号の出力を停波する。これにより、本実施形態に係るレピータシステムは、基地局３０からのダウンリンク信号を正確に補足できない場合であっても、誤ったタイミングで同期することを防止することが可能となる。また、レピータシステムは、タイミング信号が瞬間的に喪失する恐れがある場合であっても、タイミング信号を保持することが可能となる。
【００４１】
なお、上記実施形態では、信号処理部１６がＦＰＧＡにより構成される場合を例に説明した。しかしながら、これに限定されない。例えば、ＦＰＧＡは、上記機能を実行するように設計された、汎用プロセッサ及びＤＳＰ（Digital Signal Processor）等であっても構わない。
【００４２】
また、上記実施形態では、検波部１３がダウンリンク信号の検出タイミングを監視することで、タイミング信号の喪失を保護する場合を例に説明した。しかしながら、これに限定されない。例えば、図７に示されるように、信号処理部１６が判断部１６５を含むようにしても良い。判断部１６５は、例えば、図３に示す前方保護機能及び後方保護機能を有する。判断部１６５は、タイミング信号生成部１６３で生成されたタイミング信号を受け取る。判断部１６５は、内部クロックを参照し、タイミング信号が予め設定されるタイミングで連続して生成される場合、タイミング信号がＴＤＤ方式のタイミングと同期しているとして同期信号を制御部１６４へ出力する。また、判断部１６５は、同期している状態において、タイミング信号が予め設定されるタイミングで生成されない状態が連続して続く場合、同期解除信号を信号処理部１６へ出力する。
【００４３】
また、上記実施形態では、検波部１３で検出されたエンベロープ信号に対してレベル補正をせずに、このエンベロープ信号に基づいてパルス信号を生成する場合を例に説明した。しかしながら、これに限定されない。例えば、ローパスフィルタ１４は、予め設定される期間だけ、入力されるエンベロープ信号のピーク電圧を保持するようにしても構わない。なお、この予め設定される期間は、システムパターンに基づいて設定されても良い。また、ピーク電圧の保持は、トレーニング状態においてのみ実施されるようにしても良い。
【００４４】
ＷｉＭＡＸ（登録商標）では、各フレームの先頭シンボルにあるプリアンブル部が一定レベル以上となる。また、ＷｉＭＡＸ２＋（ＴＤ−ＬＴＥ）においても先頭シンボルにあるＰＤＣＣＨ（Physical Downlink Control CHannel）が一定レベル以上となる。このため、先頭シンボルの受信レベルをホールドすれば、設定される期間における電圧レベルは、常に一定レベル以上となる。これにより、トラフィックの変動により、ダウンリンク信号のレベルが上下する場合であっても、タイミング信号の誤検出を防ぐことが可能となる。
【００４５】
また、ローパスフィルタ１４で電圧レベルをホールドする他に、例えば、信号処理部１６に、図８に示されるように、ピーク保持部１６６を設けるようにしても良い。ピーク保持部１６６は、外部から入力されるシステムパターンを参照し、ダウンリンク信号が出現する期間において、入力されるデジタル信号のピーク電圧を保持する。パルス生成部１６１は、ピーク保持部１６６から出力されるデジタル信号に基づいてパルス信号を生成する。これにより、トラフィックの変動により、ダウンリンク信号のレベルが上下する場合であっても、タイミング信号の誤検出を防ぐことが可能となる。なお、ピーク電圧の保持は、トレーニング状態においてのみ実施されるようにしても良い。
【００４６】
本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれると同様に、特許請求の範囲に記載された発明とその均等の範囲に含まれるものである。
【符号の説明】
【００４７】
１０…マスタユニット、１１…方向性結合器、１２…切替部、１３…検波部、１４…ローパスフィルタ、１５…アナログ−デジタル変換部、１６…信号処理部、１６１…パルス生成部、１６２…タイミング調整部、１６３…タイミング信号生成部、１６４…制御部、１６５…判断部、１６６…ピーク保持部、１７…光電変換部、１８…指示入力部、２０…リモートユニット、３０…基地局。
【図１】
0006352729.tif 000002
【図２】
0006352729.tif 000003
【図３】
0006352729.tif 000004
【図４】
0006352729.tif 000005
【図５】
0006352729.tif 000006
【図６】
0006352729.tif 000007
【図７】
0006352729.tif 000008
【図８】
0006352729.tif 000009